(57)【特許請求の範囲】
【請求項１】
体表面の少なくとも一部を包囲する包囲体と、
前記包囲体内に炭酸ガスを供給する供給装置と、
前記包囲体内に供給された炭酸ガスを吸収材に吸収させるように加圧する加圧手段と、
前記包囲体内には体表面側と包囲体側とを仕切る仕切り部材と、を有し、
前記供給装置は、前記体表面側と前記仕切り部材とで構成される空間に炭酸ガスを供給し、
前記加圧手段は、前記仕切り部材と前記包囲体とで構成される空間から前記仕切り部材に圧力を加えることで前記体表面側と前記仕切り部材とで構成される空間に供給された炭酸ガスを加圧することを特徴とする炭酸ガス経皮吸収装置。
【請求項２】
前記加圧手段は、前記仕切り部材と前記包囲体とで構成される空間に気体、液体又は固体を供給することにより、前記体表面側と前記仕切り部材とで構成される空間に供給された炭酸ガスを加圧することを特徴とする請求項１に記載の炭酸ガス経皮吸収装置。
【請求項３】
前記供給装置は、炭酸ガス及び吸収材を供給することを特徴とする請求項１又は２に記載の炭酸ガス経皮吸収装置。
【請求項４】
前記供給装置が前記包囲体内に供給する炭酸ガスに対して、炭酸ガスの濃度を調整する濃度調整装置を更に有することを特徴とする請求項１乃至３の何れか１項に記載の炭酸ガス経皮吸収装置。
【請求項５】
前記濃度調整装置により濃度が調整された炭酸ガスを貯めるサブタンクを更に有することを特徴とする請求項４に記載の炭酸ガス経皮吸収装置。
【発明の詳細な説明】
【技術分野】
【０００１】
本発明は、炭酸ガスを経皮（体表面）から吸収させることができる炭酸ガス経皮吸収装置に関するものである。
【背景技術】
【０００２】
炭酸ガス（以下、炭酸ガスとして二酸化炭素を例にして説明する）が体内に吸収されると、体内の組織を通して血液中の赤血球内に入り込み、赤血球内において化学反応が生じ、赤血球は酸素を放出する。赤血球から放出された酸素が、体内の細胞に行き渡ることで、各細胞は活性化する。各細胞が、活性化すことで、血管が拡張したり、血行が促進されたり、血圧が低下したりする等の効果をもたらすことができる。このような効果をＢｏｈｒ効果といい、従来から美容や医療の分野において利用されている。
【０００３】
ここで、二酸化炭素を経皮から吸収させる方法として、特許文献１に開示された技術が知られている。特許文献１に開示された技術は、体の一部を包むことができる密閉包囲材と、密閉包囲材の内部に二酸化炭素を供給する供給装置と、密閉包囲材の内部において二酸化炭素の経皮経粘膜吸収を助ける吸収補助材とから構成されている。二酸化炭素を経皮から吸収させる場合、まず、例えばポリプロピレン製不織布にクエン酸水溶液を含ませた吸収補助材を体の一部に貼付する。次に、密閉包囲材で吸収補助材が貼付された体の一部を覆う。さらに、二酸化炭素の供給装置の二酸化炭素吹き出し口からつながれたビニールチューブを、密閉包囲材に差し込んだ後、密閉包囲材の口を縛って密閉する。二酸化炭素の供給装置から二酸化炭素を密閉包囲材の内部に充填する。充填された二酸化炭素は、吸収補助材を通して体表面から吸収される。このように、特許文献１に開示された技術では、密閉包囲材の内部に密閉された二酸化炭素を、吸収補助材を通して体表面から吸収させることで、効率的に二酸化炭素を体内に付与することできる。
【０００４】
【特許文献１】国際公開第２００４／００２３９３号パンフレット
【発明の開示】
【発明が解決しようとする課題】
【０００５】
しかしながら、上述した特許文献１に開示された技術は、二酸化炭素を効率的に吸収させる役割を吸収補助材が担っており、二酸化炭素を吸収させる効率をさらに向上させたい場合に対応することができない。
本発明は上述したような問題点に鑑みてなされたものであり、二酸化炭素を体表面から吸収させる効率をさらに向上できるようにすることを目的とする。
【課題を解決するための手段】
【０００６】
本発明の炭酸ガス経皮吸収装置は、体表面の少なくとも一部を包囲する包囲体と、前記包囲体内に炭酸ガスを供給する供給装置と、前記包囲体内に供給された炭酸ガスを吸収材に吸収させるように加圧する加圧手段と、前記包囲体内には体表面側と包囲体側とを仕切る仕切り部材と、を有し、前記供給装置は、前記体表面側と前記仕切り部材とで構成される空間に炭酸ガスを供給し、前記加圧手段は、前記仕切り部材と前記包囲体とで構成される空間から前記仕切り部材に圧力を加えることで前記体表面側と前記仕切り部材とで構成される空間に供給された炭酸ガスを加圧することを特徴とする。
【発明の効果】
【０００７】
本発明によれば、二酸化炭素を体表面から吸収させる効率をさらに向上させることができる。
【発明を実施するための最良の形態】
【０００８】
以下、図面を参照して、本発明の実施形態に係る炭酸ガス経皮吸収装置（以下、二酸化炭素付与装置という）の構成について説明する。なお、炭酸ガスとして二酸化炭素を例にして説明する。
（第１の実施形態）
第１の実施形態は、体表面の少なくとも一部を包囲する包囲体内に二酸化炭素を供給する供給装置と、包囲体内に供給された二酸化炭素を吸収材に吸収させるように加圧する加圧装置とを共通にした場合の実施形態である。
図１に、第１の実施形態に係る二酸化炭素付与装置１０の構成を示す。図１に示すように二酸化炭素付与装置１０は、供給装置１１と、包囲体２１とを有している。
【０００９】
供給装置１１は、容器体１２と、押下部１３と、吹き出し口１４とを有している。供給装置１１は、いわゆるスプレー缶であり、軽量であるため携帯することができるという特長がある。本実施形態の供給装置１１の容器体１２には、体内に供給するための二酸化炭素と二酸化炭素を体表面から体内に吸収させる補助をする吸収材とが高圧縮された状態で収容されている。本実施形態の供給装置１１には約２〜６リットルの二酸化炭素が収容されている。ここで、吸収材は、二酸化炭素を溶融させることができる媒体であり、例えば、水、アルコール類、油脂類等である。また、体の表面に付着させたときに、付着した吸収材が付着した位置に留まり易いようになっていることが、好ましい。また、吸収材は、体表面の影響を少なくするためにＰＨ４．０〜６．５の弱酸性とし、体表面の保湿と保護のためにグリセリンやワセリンが添加されていてもよい。使用者は、供給装置１１の押下部１３を押すことで、容器体１２に混合されて収容された二酸化炭素と吸収材とを、吹き出し口１４から勢いよく放出することができる。ここで、吸収材は、体表面から体内に吸収しやすいナノ化された水等のナノ化された吸収材であることが好ましい。
【００１０】
包囲体２１は、包囲材２２と、接触部２３と、係止部２４と、吸入口２５とを有している。本実施形態の包囲体２１は、体表面の少なくとも一部を巻きつけるようにして包囲する部材である。図１に示す包囲体２１は、体表面と接触させる側の面がみえるように図示している。
包囲材２２は、シート状に形成されている。本実施形態の包囲材２２の材質には、例えばクロロプレーンラバーが用いられる。クロロプレーンラバーは、伸縮性、密着性、柔軟性、耐久性及び密閉性がある。また、包囲材２２に用いられるクロロプレーンラバーの裏側、即ち体表面と接触させる反対側の面には、ナイロンジャージが張り合わされていて、
包囲材２２の耐久性をさらに向上させている。なお、包囲材２２は、クロロプレーンラバーに限られず、クロロプレーンラバーに似た素材であるラテックス、柔らかいウレタン、エチレン酢酸ビニル、ポリ塩化ビニル、シリコンラバー等を用いてもよい。
【００１１】
接触部２３は、体表面と接触する部分であり、包囲材２２の外周に沿って立設されている。接触部２３は、密閉性がある材質が使用され、例えば、クロロプレーンラバーが用いられる。ここで、包囲体２１を体表面の少なくとも一部を巻きつけるようにして包囲することで、包囲材２２と、接触部２３と、体表面とによって囲まれる空間に、二酸化炭素が供給される供給空間が形成される。
係止部２４は、包囲材２２の一方の端部と、一方の端部に相反する他方の端部とに、一対で設けられている。本実施形態では一対の係止部２４が２つ設けられている。係止部２４の詳細な説明は図２の説明において後述する。
吸入口２５は、上述した供給空間と連通する孔を有し、孔を通して二酸化炭素を供給空間に供給することができる。図１の示す包囲体２１には、供給空間内に満遍なく二酸化炭素を供給することができるように吸入口２５が複数（２つ）設けられている。また、供給空間に供給された二酸化炭素が吸入口２５から排出されないように、吸入口２５は逆止弁になっている。
【００１２】
次に、包囲体２１の取付方法について図２を参照して説明する。ここでは、包囲体２１を巻きつける体の部位として腕を例にして説明する。まず、図２（ａ）に示すように、使用者は、接触部２３を有する面を体表面側にすると共に、二酸化炭素を供給したい腕の部位に包囲体２１をあてがう。次に、包囲体２１の両端部を矢印方向の側に向かって巻きつける。その後、図２（ｂ）に示すように、包囲材２２の一方の端部に設けられた係止部２４を、包囲材２２の他方の端部に設けられた係止部２４に対して係止することで、包囲体２１を体の任意の部位に供給空間を密閉して取り付けることができる。ここで、係止部２４は、任意の位置で係止できる面ファスナーを用いている。従って、体の部位の太さに応じて、係止部２４の係止の位置を調整することができるので、１つの包囲体２１で異なるサイズに使用することができる。また、本実施形態の係止部２４は、包囲材２２の幅方向（図２（ｂ）に示す矢印方向）に沿って、複数設けられている。従って、包囲材２２の幅方向に沿って、太さが異なるような体の部位（腕、脚等）であっても、それぞれの係止部２４の位置を調整することで、体の部位にフィットさせることができる。
【００１３】
次に、腕に取り付けた包囲体２１の内部に供給装置によって二酸化炭素を供給する方法について図３を参照して説明する。上述したように供給装置１１は、軽量であり携帯することができる程度の大きさである。従って、図３（ａ）に示すように、供給装置１１を梱包体３１に複数（例えば、６つ）を収容させて、管理したり搬送したりすることができる。使用者は、梱包体３１に収容された供給装置１１を取り出し、図３（ｂ）に示すように、供給装置１１の押下部１３及び吹き出し口１４をカバーしているキャップ体１５を取り外す。次に、使用者は、図３（ｃ）に示すように、腕に取り付けた包囲体２１の吸入口２５に供給装置１１の吹き出し口１４を接続する。使用者は、図３（ｄ）に示すように、吸入口２５と吹き出し口１４とが接続された状態で、供給装置１１の押下部１３を押す。すると、容器体１２に収容された二酸化炭素と吸収材とが混合されて供給空間内に放出される。このとき、包囲体２１の接触部２３は体表面と密接しているので、供給空間内に供給された二酸化炭素と吸収材とが包囲体２１の外側に漏洩することが防止される。
【００１４】
図４は、図３（ｄ）に示す吸入口２５と吹き出し口１４とが接続され、供給装置１１の押下部１３が押された状態での、包囲体２１の断面を示す図である。図４に示すように、包囲体２１の吸入口２５から供給された二酸化炭素と吸収材とは腕の周りに形成された供給空間に満遍なく充填される。このとき、充填された吸収材は、腕と接することで腕の表面に付着した状態となる。使用者は図４に示す状態から、さらに、供給装置１１の押下部１３を押し続ける。すると、供給空間に二酸化炭素と吸収材とが供給されるものの、供給空間は密閉されていることから、供給された二酸化炭素と吸収材とによって供給空間内に充填された二酸化炭素は圧縮される。なお、圧縮された二酸化炭素は図３（ｄ）に示すように包囲体２１を膨張させる。このとき、膨張された供給空間の気圧は１気圧より大きく、１．３気圧より小さく（好ましくは１．０５気圧以上、１．１気圧以下）する。なお、所定気圧以上の圧力がかかる場合、供給された二酸化炭素は、包囲体２１の接触部２３と体表面との間から排出させる。
【００１５】
上述したように供給空間に充填された二酸化炭素は、さらに供給された二酸化炭素によって圧縮される。加圧された二酸化炭素は、腕に付着された吸収材に効率よく、多量に溶解する。二酸化炭素が多量に溶解された吸収材を通すことで、腕の表面からより多くの二酸化炭素を吸収させることができる。また、腕の表面に付着された吸収材は供給空間内で加圧された二酸化炭素によって腕の表面に押し付けられる。従って、この押し付ける力が吸収材と腕の表面とを密着させるので、さらに、腕の表面から二酸化炭素を吸収させる効率を向上させることができる。
【００１６】
次に、本実施形態に使用される包囲体の他の形態について図５及び図６を参照して説明する。
図５（ａ）に示す包囲体３６は、上腕、下腕及び手を含む腕用である。包囲体３６は、袋状であり、包囲体３６内は二酸化炭素が供給される供給空間が形成される。包囲体３６は、図５（ｂ）に示すように、複数（３つ）の包囲材３７、３８、３９から構成されている。包囲材３７、３９の材質は、伸縮性、密着性、柔軟性、耐久性及び密閉性がある材質、例えばクロロプレーンラバーやクロロプレーンラバーにナイロンジャージが張り合わされた材質が用いられる（以下、クロロプレーンラバー等という）。一方、包囲材３８は、例えば筐体としての透明なアクリルが用いられる。包囲材３７は段階的に開口面積が広くなるように形成された筒形状である。包囲材３７には、腕を挿入することができる挿入口４１が形成されている。挿入口４１の寸法は、上腕の太さより狭く形成されている。従って、使用者が包囲体３６に腕を挿入するときは、挿入口４１を広げるようにして挿入する。包囲材３８は、同一の開口寸法を有するように形成された筒形状である。包囲材３８には複数（２つ）の吸入口２５が設けられている。包囲材３９は、一方のみが開口した袋形状である。包囲材３９には包囲材３８と同様に複数（２つ）の吸入口２５が設けられている。包囲体３６は、隣接する包囲材同士をＯリング４０によって着脱可能に接続することで、全体として袋形状に構成される。このように、複数の包囲材を着脱可能に接続することで、１つの包囲材が汚れたり、破損した場合であっても、取り外して清掃したり、新たな包囲材に簡単に交換することができる。
【００１７】
包囲体３６への二酸化炭素を供給する方法は図３に示す場合と同様である。まず、使用者は、挿入口４１から腕を挿入した状態で、包囲材３８、３９の吸入口２５に供給装置１１の吹き出し口１４を接続し、供給装置１１の押下部１３を押す。すると、容器体１２に収容された二酸化炭素と吸収材とが混合されて供給空間内に放出される。さらに、供給装置１１の押下部１３を押し続けると、供給空間に供給された二酸化炭素は圧縮される。このとき、上腕の腕の表面と挿入口４１とは密着しているので、供給空間内に供給された二酸化炭素と吸収材とは包囲体３６の外側に漏洩することが防止される。
【００１８】
図５（ａ）に示す包囲体３６は、一部を透明な材質（例えば、アクリル）にして構成している。このように一部を透明にすることで、使用者は透明な部分から二酸化炭素が体内に吸収されたときに生じるＢｏｈｒ効果、例えば、血行がよくなることにより肌が赤くなる様子を視認することができる。また、包囲体３６には、吸入口２５を複数（４つ）設けている。これにより、包囲体３６が大型化したとしても吸収材を満遍なく供給空間内に充填させることができる。また、包囲体３６は、一部を筒状の筐体として構成している。このように構成にすることで、図５（ｃ）に示すように、包囲材３８の内部に変形させた包囲材３７、３８を収容することができ、使用者は、包囲体３６の管理及び搬送等を簡単に行うことができる。
【００１９】
図６（ａ）に示す包囲体４６は、首用である。包囲体４６は、図１に示す包囲体２１と同様に構成されている。図６（ａ）に示す包囲体４６が、図１に示す包囲体２１と異なる部分は、一対の係止部２４が１つのみ設けられている点である。なお、図６（ａ）に示す首用の包囲体４６の包囲材２２の長さ寸法（円周長さ）は、包囲体４６が包囲した首の喉部分を包囲しないようにするために、首回りの寸法より短い長さ寸法で構成してもよい。
【００２０】
図６（ｂ）に示す包囲体４７は、足用である。包囲体４７は、足形状に形取りされた袋状であり、包囲体４７内は二酸化炭素が供給される供給空間が形成される。包囲体４７の包囲材４８の材質は、例えばクロロプレーンラバー等が用いられる。包囲材４８には、足を挿入することができる挿入口４９が形成されている。使用者が包囲体４７を取り付けるときは、挿入口４９から足を挿入した後、包囲体４７の足首部分に相当する位置に設けられた係止部２４を、他方の係止部２４に対して係止することで、供給空間を密閉して取り付けることができる。
図６（ｃ）に示す包囲体５０は、大腿用である。包囲体５０は、図１に示す包囲体２１と同様に構成されている。なお、包囲体５０の包囲材２２の長さ寸法（円周長さ）を若干短くすることで下腿用として用いることができる。
【００２１】
このように、本実施形態によれば、供給空間に充填された二酸化炭素を供給装置によって放出する放出圧力によって加圧させた。従って、多くの二酸化炭素を吸収材に溶解させることができるので、多くの二酸化炭素が溶解された吸収材を介して体内に、多くの二酸化炭素を吸収させることができ、さらには、二酸化炭素を体内に吸収させる効率を向上させることができる。また、加圧された二酸化炭素によって、吸収材は体表面に押し付けられているので、吸収材と腕の表面とが密着され、さらに、二酸化炭素を体内に吸収させる効率を向上させることができる。
【００２２】
また、本実施形態では、供給装置が、体内に供給するための二酸化炭素と二酸化炭素を体表面から体内に吸収させる吸収材とを高圧縮に収容している。従って、使用者は、供給装置により二酸化炭素を供給するだけで、二酸化炭素と共に吸収材を供給空間に供給することができるので、吸収材を貼付したり塗着したりする必要がなく、二酸化炭素の供給する際の使い勝手を向上させることができる。
【００２３】
また、本実施形態では、包囲体２１の材質には、例えばクロロプレーンラバーを用いた。クロロプレーンラバーは伸縮性があると共に密着性がある。従って、体のどのような部位であっても、その部位に密着させることができるとともに、充填された二酸化炭素が漏洩することを防止できる。例えば、肘のように凹凸があるような部位であっても、肘の形状に伸縮することで密着させることができる。また、クロロプレーンラバーにナイロンジャージを張り合わせることにより、さらに耐久性が向上するので、供給空間に充填された二酸化炭素によって加圧されたとしても、包囲体の破損を防止することができる。なお、包囲体２１には撥水性がある生地を使用してもよい。
【００２４】
（第２の実施形態）
第２の実施形態は、体表面の少なくとも一部を包囲する包囲体内に二酸化炭素を供給する供給装置と、包囲体内に供給された二酸化炭素を吸収材に吸収させるように加圧する加圧装置とを共通にした場合の実施形態である。第１の実施形態では、供給装置から二酸化炭素と吸収材とを放出することにより、吸収材を体の表面に付着させていたが、第２の実施形態では吸収材を付与する方法が異なる。
図７に、第２の実施形態に係る二酸化炭素付与装置６０の構成を示す。図７に示すように二酸化炭素付与装置６０は、供給装置６１と、包囲体７１とを有している。
【００２５】
供給装置６１は、容器体６２と、減圧器６３とを有している。容器体６２は、いわゆるハンディボンベであり、二酸化炭素が非常に高圧縮された状態で収容されている。本実施形態の容器体６２には約１０〜２０リットルの二酸化炭素が収容されている。減圧器６３は、目盛部６６と、つまみ部６７と、吹き出し口６８とを有している。減圧器６３を容器体６２のネジ部６４を介して取り付けることで、容器体６２に高圧縮された二酸化炭素を減圧させて、取り出すことができる。使用者は、つまみ部６７を開口することで、容器体６２に収容された二酸化炭素を、吹き出し口６８から勢いよく放出することができる。なお、使用者は、目盛部６６により、吹き出し口６８から放出される二酸化炭素の圧力を確認することができる。
【００２６】
包囲体７１は、体表面の少なくとも一部である上腕、下腕及び手を含む腕用である。包囲体７１は、袋状であり、包囲体７１内は二酸化炭素が供給される供給空間が形成される。ここで、包囲体７１は、図５に示す包囲体３６と同様に構成されている。本実施形態に示す包囲体７１が、図５に示す包囲体３６と異なる部分は、吸入チューブ７４を介して吸入口７３が設けられている点である。吸入口７３には、供給装置６１の吹き出し口６８を接続することができる。本実施形態に係る供給装置６１は、二酸化炭素が非常に高圧縮された状態で収容されているため、第１の実施形態の供給装置１１より重量がある。吸入チューブ７４を設けることで、使用者が供給装置６１を手に持つ必要がなく、載置した状態の供給装置６１から包囲体７１内に二酸化炭素を供給することができる。
【００２７】
次に、本実施形態に係る吸収材を付与する方法について説明する。吸収材を付与する方法として、第１に体の表面にシート状の吸収材を貼付する方法がある。ここで、シート状の吸収材について図８を参照して説明する。吸収材７５は、予め二酸化炭素を吸収させたい体の部位の大きさに合わせたサイズに形成したり、切断したりしておく。吸収材７５は、図８（ａ）に示すように、複数の異なる材質の層になっていて、透過性シート７６と、吸収部７７と、ラミネートシート７８とを有している。透過性シート７６には、二酸化炭素が透過できる孔７９が複数形成されている。吸収部７７は、体の表面に貼付させる部分である。吸収部７７は、二酸化炭素を溶融させることができる媒体であり、例えば、水、アルコール類、油脂類等である。また、体の表面に貼付した場合に、貼付した吸収材が貼付した位置に留まり易いようにするために、吸収部７７はジェル状であることが好ましい。例えば、ジェル状の吸収部７７として、高分子化合物（ポリアクリル酸ナトリウム）を添加ジェルにすればよい。また、吸収部７７には体表面の影響を少なくするためにＰＨ４．０〜６．５の弱酸性とし、体表面の保湿と保護のためにグリセリンやワセリンが添加されている。ラミネートシート７８は、吸収部７７に塵等が付かないように保護するものである。使用者は、吸収材７５を使用するときに吸収部７７からラミネートシート７８を剥離する。このように、吸収材７５をシート状にすることで、管理がし易く、容易に携帯することができる。なお、吸収部として、二酸化炭素を溶融させることができる水、アルコール類、油脂類等の媒体を浸透させた布等の物質を用いてもよい。また、水、アルコール類、油脂類等の媒体は、体表面から体内に吸収しやすいナノ化されたものであることが好ましい。
【００２８】
吸収材を付与する方法として、第２に体の表面に吸収材を直接、塗布する方法がある。ここで、吸収材は、第１の方法で上述した吸収部７７と、同様な物性を有する。なお、体の表面に塗布する吸収材には、吸収材自体が粘性を有するか粘性剤が含めることにより、さらに塗布した位置に留まるようにすることが好ましい。
【００２９】
次に、腕に取り付けた包囲体７１の内部に供給装置によって二酸化炭素を供給する方法について説明する。ここでは、吸収材を付与する方法としては、上述した第１の方法である、体の表面にシート状の吸収材を貼付することにより行うものとする。まず、使用者は、シート状の吸収材７５のラミネートシート７８を剥離した上、吸収材７５の吸収部７７を上腕、下腕、手の甲等の体表面に貼付する。次に、使用者は、例えば梱包体に収容された供給装置６１の容器体６２を取り出し、ネジ部６４を介して減圧器６３を取り付ける。次に、使用者は、減圧器６３の吹き出し口６８と包囲体７１の吸入チューブ７４の先にある吸入口７３とを接続する。
【００３０】
さらに、使用者は、包囲体７１の挿入口４１から腕を挿入した後、減圧器６３のつまみ部６７を開口する。すると、容器体６２に収容された二酸化炭素が包囲体７１の供給空間内に放出される。使用者は、継続してつまみ部６７を開口することにより、供給空間に充填された二酸化炭素は、継続して供給される二酸化炭素によって圧縮される。加圧された二酸化炭素は、図８（ｂ）に示すように、透過性シート７６の孔を透過して腕に貼付された吸収部７７に効率よく、多量に溶解する。二酸化炭素が多量に溶解された吸収部７７を通すことで、腕の表面からより多くの二酸化炭素を吸収させることができる。また、腕の表面に貼付された吸収部７７は供給空間内で加圧された二酸化炭素によって透過性シート７６を介して、腕の表面側に押し付ける。従って、この押し付ける力が吸収部７７と腕の表面とを密着させるので、さらに、腕の表面から二酸化炭素を吸収させる効率を向上させることができる。
【００３１】
なお、吸収材を付与する方法としては、上述した第２の方法である、体の表面に吸収材を塗布する場合であっても同様な方法により行うことができる。また、シート状の吸収材７５を貼付するときに、シート状の吸収材７５を貼付することが困難な肘等の体の部位には、ジェル状の吸収材を塗布する等して、シート状の吸収材７５とジェル状の吸収材とを組み合わせて使用してもよい。また、シート状の吸収材７５を貼付したり、ジェル状の吸収材を塗布したりする場合に限られず、供給装置６１から二酸化炭素と同時に吸収材を放出するようにしてもよい。例えば、この場合、吸収材をミスト状に噴霧することができる噴霧器の噴霧口を減圧器６３の吹き出し口６８に近接させて設けるようにすればよい。
【００３２】
次に、本実施形態に使用される包囲体の他の形態について図９を参照して説明する。
図９（ａ）に示す包囲体８１は、大腿、下腿及び足を含む脚用である。包囲体８１は、図７に示す包囲体７１と同様に構成されている。図９（ａ）に示す包囲体８１が、図７に示す包囲体７１と異なる部分は、脚用にサイズが大きく形成されている点である。
図９（ｂ）に示す包囲体８３は、首用である。包囲体８３は、図６（ａ）に示す包囲体４６と同様に構成されている。図９（ｂ）に示す包囲体８３が、図６（ａ）に示す包囲体４６と異なる部分は、吸入チューブ７４を介して吸入口７３が設けられている点である。
【００３３】
図９（ｃ）に示す包囲体８５は、両腕を含む上半身用である。包囲体８５は、体の部位のうち腰から上であり、首から下を包囲することができるように形成されている。包囲体８５は、複数（５つ）の包囲材３８、３９、８６から構成されている。包囲材３８、３９は、図７に示す包囲材３８、３９と同様の構成である。包囲材８６の材質は、例えばクロロプレーンラバーが用いられる。また、包囲材８６は、いわゆるベスト形状であり、気密ファスナー８７と、腹係止部８８と、首係止部９０と、吸入チューブ７４と、吸入口７３とを有している。使用者が、包囲体８５を取り付けるときは、気密ファスナー８７を開放した後、衣服を着るようにして装着する。次に、使用者は、気密ファスナー８７を閉鎖し、腹係止部８８と首係止部９０とを用いて係止することで、両腕を含む上半身の周りに密閉された供給空間が形成される。なお、包囲体８５は、首や腹部分以外は上半身を締め付けないようにやや大きめに形成されている。また、包囲体８５は、手に対応する部分の包囲材３９にクロロプレーンラバー等の伸縮性がある材質を用いることで、使用者は気密ファスナー８７を開閉する作業等を簡単に行うことができる。
【００３４】
図９（ｄ）に示す包囲体９１は、一方の腕を含む上半身用（肩用）である。包囲体９１は、図９（ｃ）に示す包囲体８５の一方の腕部分の包囲材３８、３９を失くして構成したものである。包囲体９１は、複数（３つ）の包囲材３８、３９、９２から構成されている。包囲体９１は、係止部２４と、腹係止部８８とを有すると共に、包囲材３８、３９によって包囲されない他方の腕を包囲体９１の外側に露出させるための腕開口９３を有している。使用者が、包囲体９１を体に取り付けるときは、衣服を着るようにして装着する。次に、使用者は、係止部２４と腹係止部８８とを用いて係止することで、一方の腕を含む上半身の周りに密閉された供給空間が形成される。
【００３５】
このように、本実施形態によれば、体内に供給するための二酸化炭素を非常に高圧縮に収容することができる小型の供給装置（ハンディタイプボンベ）を用いた。従って、多量の二酸化炭素を放出することができるので、体の表面の広範囲に二酸化炭素を供給することができる。
また、本実施形態では、吸収材を付与する方法としてシート状の吸収材を貼付する方法と、ジェル状の吸収材を塗布する方法とを用いた。従って、体の表面に吸収材を確実に付着させることができるため、二酸化炭素を体内に吸収させる効率を向上させることができる。
【００３６】
（第３の実施形態）
第３の実施形態は、体表面の少なくとも一部を包囲する包囲体内に二酸化炭素を供給する供給装置と、包囲体内に供給された二酸化炭素を吸収材に吸収させるように加圧する加圧装置とを別々した場合の実施形態である。
図１０に、第３の実施形態に係る二酸化炭素付与装置１００の構成を示す。図１０（ａ）に示すように二酸化炭素付与装置１００は、供給装置６１と、包囲体１０１と、加圧装置１０２とを有している。
【００３７】
供給装置６１は、容器体６２と、減圧器６３とを有している。容器体６２は、いわゆるハンディボンベであり、二酸化炭素が非常に高圧縮された状態で収容されている。使用者は、つまみ部６７を開口することで、容器体６２に収容された二酸化炭素を、吹き出し口６８から勢いよく放出することができる。
包囲体１０１は、体表面の少なくとも一部である上腕、下腕及び手を含む腕用である。
包囲体１０１は、袋状であり、包囲体１０１内は二酸化炭素が供給される供給空間が形成される。また、包囲体１０１の内部には供給空間を体表面側と包囲体側とで仕切る仕切り部材１０３が設けられている。図１０（ａ）に示す仕切り部材１０３は、包囲体１０１の内部で、腕を覆うように袋状に形成されている。仕切り部材１０３には、気体に対して不透過性を有し伸縮性のある材質、例えば高分子樹脂であるビニール等が用いられる。なお、仕切り部材１０３は、包囲体１０１内に一体的に設けられていてもよい。包囲体１０１の外周には、供給空間内であって、仕切り部材１０３と包囲体１０１との間の空間に、気体等の圧縮物が吸入される吸入口１０４が設けられている。
加圧装置１０２は、筒状本体１０６と、操作部１０７と、送出チューブ１０８と、送出口１０９とを有している。加圧装置１０２は、いわゆるハンディタイプのポンプである。使用者は、操作部１０７を筒状本体１０６に対して進退させることで、筒状本体１０６内の気体を送出口１０９から排出することができる。
【００３８】
次に、使用者が包囲体１０１を取り付ける方法について説明する。まず、使用者は、ジェル状の吸収材を上腕、下腕、手等の腕全体の表面に塗布する。次に、使用者は、上腕、下腕、手等の腕全体を袋状の仕切り部材１０３でかぶせるようにして覆う。さらに、使用者は、仕切り部材１０３で覆われた腕全体を包囲体１０１の挿入口から挿入する。このとき、図１０（ａ）に示すように、包囲体１０１の挿入口から仕切り部材１０３の開口部が露出するような状態にすることで、仕切り部材１０３と包囲体１０１との間の空間に充填される気体と、体表面と仕切り部材１０３との間の空間に充填される気体とが混合しないようにすることができる。
【００３９】
次に、使用者は、供給装置６１の吹き出し口６８に吸入チューブを接続して、吸入チューブの先端を袋状の仕切り部材１０３内、即ち体表面と仕切り部材１０３によって囲まれた空間に挿入した後、減圧器６３のつまみ部６７を開口する。すると、容器体６２に収容された二酸化炭素が包囲体１０１の袋状の仕切り部材１０３内、即ち体表面と仕切り部材１０３によって囲まれた空間に放出される。ここで、使用者は、仕切り部材１０３内にある程度、二酸化炭素が充填されたところで、減圧器６３のつまみ部６７を閉塞する。この状態では、仕切り部材１０３内の二酸化炭素は、まだ加圧されていない。
【００４０】
次に、使用者は、加圧装置１０２の送出口１０９を包囲体１０１の吸入口１０４に接続し、操作部１０７を筒状本体１０６に対して進退させる。すると、筒状本体１０６内の気体を仕切り部材１０３と包囲体１０１との間の空間に放出することができる。使用者は継続して仕切り部材１０３と包囲体１０１との間の空間に気体を供給することで、仕切り部材１０３と包囲体１０１との間の空間に充填された気体は、仕切り部材１０３を介して、仕切り部材１０３内の二酸化炭素を圧縮する。なお、仕切り部材１０３と包囲体１０１との間の空間に充填された気体により包囲体１０１は膨張する。このとき、膨張された供給空間の気圧は１気圧より大きく、１．３気圧より小さく（好ましくは１．０５気圧以上、１．１気圧以下）する。加圧された二酸化炭素は、腕に塗布された吸収材に効率よく、多量に溶解する。二酸化炭素が多量に溶解された吸収材を通すことで、腕の表面からより多くの二酸化炭素を吸収させることができる。また、腕の表面に付着された吸収材は供給空間内で加圧された二酸化炭素によって腕の表面に押し付けられる。従って、この押し付ける力が吸収材と腕の表面とを密着させるので、さらに、腕の表面から二酸化炭素を吸収させる効率を向上させることができる。
【００４１】
なお、上述した実施形態では、加圧装置１０２として、ハンディタイプのポンプを用いたが、この場合に限られない。例えば、コンプレッサのような圧縮機やいわゆるメドマー（登録商標）といわれる加圧機を用いて包囲体１０１内に気体を供給するようにしてもよい。また、例えば、内部に空間を有する蛇腹装置を用い、蛇腹部を伸縮させることで包囲体内に気体を供給するようにしてもよい。また、包囲体１０１内に供給するものは気体に限られない。例えば、液体であってもよいし、固体であってもよい。固定を供給する場合は、固体が直接、仕切り部材の外側を押圧するように構成することで、二酸化炭素を加圧することができる。
また、上述した実施形態では、ジェル状の吸収材を上腕、下腕、手等の腕全体の表面に塗布する場合について説明したが、この場合に限られず、シート状の吸収材を上腕、下腕、手等の表面に貼付してもよい。
【００４２】
また、仕切り部材として袋状のものを用いたが、この場合に限られない。例えば、仕切り材をシート状にして体表面に貼付するようにしてもよい。ここで、シート状の仕切り部材について図１１を参照して説明する。仕切り部材１１２は、気体に対して不透過性を有する材質である。仕切り部材１１２には、体の表面に貼付させる吸収部１１３が付着されている。吸収部１１３は、二酸化炭素を溶融させることができる媒体が浸透されたスポンジ等の物質である。なお、媒体は、水、アルコール類、油脂類等であり、第２の実施形態と同様な物性を有するように構成されている。次に、使用者が仕切り部材１１２を用いて、包囲体１０１内に二酸化炭素を供給する方法について説明する。まず、使用者は、体表面側に吸収部１１３が面するように、仕切り部材１１２を体表面に貼付する。次に、使用者は、仕切り部材１１２を貼付した腕全体を包囲体１０１の挿入口から挿入する。使用者は、供給装置６１の吹き出し口６８に吸入チューブを接続して、吸入チューブの先端を、図１１に示すように吸収部１１３内に差し込み、二酸化炭素を吸収部１１３内、即ち体表面と仕切り部材１０３によって囲まれた吸収部１１３内の空間に放出する。次に、使用者は、加圧装置１０２により、仕切り部材１１２と、包囲体１０１との間の空間に気体を供給することで、仕切り部材１１２と包囲体１０１との間の空間に充填された気体は、仕切り部材１１２を介して、吸収部１１３内の二酸化炭素が圧縮され媒体に効率よく、多量に溶解する。二酸化炭素が多量に溶解された媒体を通すことで、腕の表面からより多くの二酸化炭素を吸収させることができる。
【００４３】
次に、本実施形態に使用される包囲体の他の形態について図１０（ｂ）を参照して説明する。図１０（ｂ）に示す包囲体１１１は、大腿、下腿及び足を含む脚用である。包囲体１１１は、図１０（ａ）に示す包囲体１０１と同様に構成されている。また、包囲体１１１の内部にも同様に、供給空間を体表面側と包囲体側とで仕切る仕切り部材１０３が設けられている。図１０（ｂ）に示す包囲体１１１が、図１０（ａ）に示す包囲体１０１と異なる部分は、脚用にサイズが大きく形成されている点である。
【００４４】
このように、本実施形態によれば、包囲体の内部に供給空間を体表面側と包囲体側とで仕切る仕切り部材を設けた。そして、体表面と仕切り部材１０３によって囲まれた空間にのみ二酸化炭素を供給するようにした。従って、供給する二酸化炭素の量を少なくすることができる。また、体表面に吸収材を塗布されたとしても、供給空間を体表面側と包囲体側とが仕切り部材により仕切られていることから、包囲体に吸収材が付着することを防止することができる。
【００４５】
（第４の実施形態）
第４の実施形態は、体表面の少なくとも一部を包囲する包囲体内に大量の二酸化炭素を供給する場合に適した実施形態である。
図１２に、第４の実施形態に係る二酸化炭素付与装置１２０の構成を示す。図１２に示すように二酸化炭素付与装置１２０は、供給装置１２１と、包囲体８５とを有している。
【００４６】
供給装置１２１は、容器体１２２と、減圧器１２３とを有している。容器体１２２は、いわゆる大型ボンベであり、二酸化炭素が非常に高圧縮された状態で大量に収容されている。減圧器１２３は、目盛部１２４と、栓部１２５とを有している。なお、供給装置１２１は、ケース体１２８に収容されている。ケース体１２８には、吹き出し口１２７と、吹き出し口１２７を開閉するコック部１２６とを有している。また、ケース体１２８にはキャスター等が取り付けられ、供給装置１２１の搬送を簡単にできるようになっている。なお、減圧器１２３の栓部１２５から吹き出し口１２７にチューブを介して接続されており、使用者が、栓部１２５及びコック部１２６を開口することで、容器体１２２に収容された二酸化炭素が、吹き出し口１２７から勢いよく放出される。なお、使用者は、目盛部１２４により、吹き出し口１２７から放出される二酸化炭素の圧力を確認することができる。
【００４７】
包囲体８５は、両腕を含む上半身用である。包囲体８５は、体の部位のうち腰から上であり、首から下を包囲することができるように形成されている。図１２に示す包囲体８５は、図９（ｃ）に示す包囲体８５と同一の構成である。
【００４８】
本実施形態に係る吸収材を付与する方法について説明する。吸収材を付与する方法として、体の表面にシート状の吸収材を貼付する方法と、体の表面に吸収材を直接、塗布する方法がある。ここでは、上半身用の包囲体８５によって体を包囲する場合に適した吸収材について図１３を参照して説明する。
図１３において、吸収材１３１は、複数（５つ）の吸収材１３２、１３３、１３４からなっている。吸収材１３２、１３３、１３４は、それぞれ、図８（ｂ）に示す吸収材と同一の物質により構成されている。吸収材１３２は、いわゆるベスト形状であり、両腕を除く上半身に貼付することで、吸収材１３２の吸収部を体表面に付着させることができる。また、吸収材１３２は、貼付する体の大きさに合わせて調整できるように、前側に両側から重なり合う余裕部１３５、１３６を有している。このように余裕部１３５、１３６を有することで、１つの吸収材１３２で様々なサイズに対応することができる。吸収材１３３は、両腕の上腕に巻きつけて貼付することで、吸収材１３３の吸収部を体表面に付着させることができる。また、吸収材１３４は、両腕の下腕に巻きつけて貼付することで、吸収材１３４の吸収部を体表面に付着させることができる。
【００４９】
なお、吸収材１３１は、体の部位の形状に合わせた形状に形成することにより、吸収材１３１の装着を簡単に行うことができると共に吸収材１３１の吸収部が体の表面と密着しやすいので、より二酸化炭素を体内に供給させることができる。例えば、図１３（ｂ）に示すように、足形状に合わせた吸収材１３７を形成してもよい。なお、吸収材１３３を貼付するときに、貼付することが困難な肘等の体の部位には、吸収材を塗布する。
さらに、本実施形態では、図１３（ｃ）に示すように体の表面に吸収材１３１を貼付した後に、吸収材１３１の上から二酸化炭素が透過できる透過膜材１３８を体に巻きつけるようにする。ここで、透過膜材１３８は、例えば二酸化炭素が透過する孔が形成されたラップフィルムや、細目不織布等である。
【００５０】
次に、上半身に取り付けた包囲体８５の内部に供給装置によって二酸化炭素を供給する方法について説明する。ここでは、吸収材を付与する方法としては、体の表面にシート状の吸収材１３１を貼付することにより行うものとする。まず、使用者は、シート状の吸収材１３１のラミネート部を剥離した上、吸収材１３２、１３３、１３４の吸収部をそれぞれ、上半身、上腕、下腕の表面に貼付する。なお、吸収材１３１を貼付するとき、使用者が吸収材１３１を、例えば３０℃〜３５℃等に加温しておくことで、体が冷却されることがなく好ましい。また、吸収材１３１を貼付することが困難な肘等には、例えばジェル状の吸収材を塗布する。次に、使用者は、図１２に示す包囲体８５を装着した後、気密ファスナー８７を閉鎖し、腹係止部８８と首係止部９０とを用いて係止することで、両腕を含む上半身の周りに密閉された供給空間が形成される。
【００５１】
次に、使用者は、吸入チューブ７４の吸入口７３を供給装置１２１が収容されているケース体１２８の吹き出し口１２７に接続する。使用者は、栓部１２５及びコック部１２６を開口する。すると、容器体１２２に収容された二酸化炭素が包囲体８５の供給空間内に放出される。使用者は、継続して栓部１２５及びコック部１２６を開口することにより、供給空間に充填された二酸化炭素は、継続して供給される二酸化炭素によって圧縮される。加圧された二酸化炭素は、透過膜材１３８を透過し、さらに吸収材１３１の透過性シート７６の孔を透過して、両腕を含む上半身の表面に貼付された吸収部及び塗布された吸収材に効率よく、多量に溶解する。また、シート状の吸収材１３１及びジェル状の吸収材の上から巻きつけられた透過膜材１３８は供給空間内で加圧された二酸化炭素によって上半身の表面側に押し付けられる。従って、この押し付ける力が吸収部と両腕を含む上半身の表面とを密着させるので、腕の表面から二酸化炭素を吸収させる効率を向上させることができる。また、透過膜材１３８は上半身の表面全体に渡って巻きつけられるので、上半身の表面全体から二酸化炭素を効率的に吸収させることができる。また、透過膜材１３８を上半身の表面全体に渡って巻きつけることで吸収材が包囲体に付着することによる汚れを防止することができる。
【００５２】
次に、本実施形態に使用される包囲体の他の形態について図１４〜図１７を参照して説明する。
図１４に示す包囲体１４１は、腰及び両足を含む下半身用である。包囲体１４１は、袋状であり、包囲体１４１内は二酸化炭素が供給される供給空間が形成される。包囲体１４１は、複数（５つ）の包囲材１４２、１４３、１４４から構成されている。包囲材１４２、１４４の材質は、例えばクロロプレーンラバー等が用いられる。また、包囲材１４２は、例えば筐体としての透明なアクリルが用いられる。包囲材１４２は、腰係止部１４５を有している。腰係止部１４５を係止することにより供給空間内に供給された二酸化炭素を外側に漏洩することを防止できる。包囲材１４３には吸入チューブ１４６を介して吸入口１４７を有している。
【００５３】
図１５に示す包囲体１５１は、頭を除く全身用である。包囲体１５１は、袋状であり、包囲体１５１内は二酸化炭素が供給される供給空間が形成されている。包囲体１５１は、複数（２つ）の包囲材１５２、１５３から構成されている。包囲材１５２、１５３の材質は、例えばクロロプレーンラバー等が用いられる。包囲材１５２には、頭を包囲体１５１の外側に露出させることができる開口部１５６を有している。また、包囲材１５３には吸入チューブ１５４を介して吸入口１５５を有している。
【００５４】
次に、包囲体１５１の取付方法について図１６を参照して説明する。まず、使用者は、図１６（ａ）に示すように、包囲材１５２を頭からかぶるようにして、包囲材１５２の開口部１５６から頭を外側に露出させる。次に、使用者は、包囲材１５３の空間に両足を挿入し、包囲材１５２と包囲材１５３とを接続する。図１６（ｂ）は、包囲材１５２と包囲材１５３とを接続して、頭を除く全身を包囲体１５１により包囲した状態を示す図である。
【００５５】
図１７に示す包囲体１６１は、頭を除く全身用である。包囲体１６１は、袋状であり、いわゆるカプセル形状である。包囲体１６１内は二酸化炭素が供給される供給空間が形成される。包囲体１６１は、複数（５つ）の包囲材１６２、１６３、１６４、１６５、１６６から構成されている。包囲材１６２、１６４、１６６の材質は、例えばクロロプレーンラバー等が用いられている。また、包囲材１６３、１６５の材質は、例えば筐体としての透明なアクリルが用いられている。包囲材１６６は図１５に示す包囲材１５２と同様の構成を有している。ここで、包囲体１６１は図１７（ａ）及び図１７（ｂ）に示すように、載置台１６７に固定されている。
【００５６】
次に、全身を包囲体１６１へ収容する方法について図１７（ａ）を参照して説明する。まず、使用者は包囲材１６６から頭を外側に露出させる。次に、使用者は、図１７（ａ）に示すように、搬送車１６８上に載っているストレッチャー１６９に横たわる。次に搬送車１６８を包囲材１６５の開口まで移送し、使用者をストレッチャー１６９に載せたまま包囲材１６２、１６３、１６４、１６５内に移動する。次に、使用者は、包囲材１６５と包囲材１６６とを接続する。図１７（ｂ）は、包囲材１６５と包囲材１６６とを接続して、頭を除く全身を包囲体１６１により包囲した状態を示す図である。
なお、包囲体の他の形態として第１〜第３の実施形態の包囲体を用いてもよい。
【００５７】
このように、本実施形態によれば、体内に供給するための二酸化炭素を非常に高圧縮に収容することができる大型の供給装置（大型ボンベ）を用いた。従って、多量の二酸化炭素を放出することができるので、例えば全身等、体の表面の広範囲に二酸化炭素を供給することができる。
また、本実施形態では、体の表面に吸収材を貼付した上から又は体表面に吸収材を塗布した上から、二酸化炭素が透過する透過膜材を体に巻きつけるようにした。従って、加圧された二酸化炭素によって体に巻きつけた透過膜材を押し付ける。この押し付ける力が吸収材と体表面とを密着させるので、さらに、体表面から体内に二酸化炭素を吸収させる効率を向上させることができる。
【００５８】
（第５の実施形態）
第５の実施形態は、ジェル状の吸収材を収容した吸収体を包囲体に一体的に取りつける場合の実施形態である。
図１８に、第５の実施形態に係る吸収体を一体的に取りつけた包囲体の構成を示す。図１８（ａ）は、包囲体１８１を表側からみた図である。図１８（ｂ）は、包囲体１８１を裏側からみた図である。包囲体１８１は、図１８（ｂ）に示すように、吸収体１８２を一体的に取り付けることができるように構成されている。
【００５９】
包囲体１８１について、図１９を参照して説明する。包囲体１８１は、包囲材１８３と、周縁部１８４と、仕切り部材１８５と、吸入口１８６とを有している。本実施形態の包囲体１８１は、例えば腰や背中等の体表面にあてがい包囲体１８１内を密閉することにより包囲する部材である。図１９（ａ）に示す包囲体１８１は、体表面と接触する面がみえるように図示している。図１９（ｂ）は、包囲体１８１の断面を示している。
【００６０】
包囲材１８３は、シート状に形成されている。本実施形態の包囲材１８３の材質は、例えば、クロロプレーンラバー等が用いられる。なお、包囲材１８３の中央部には、包囲体１８１内を使用者が視認することができるような透明な部材が設けられている。
周縁部１８４は、包囲材１８３の外周に沿って立設されている。周縁部１８４は、密閉性がある材質が使用され、例えば、クロロプレーンラバーが用いられる。ここで、包囲体１８１を体表面の少なくとも一部にあてがうことで、包囲材１８３と、周縁部１８４と、体表面とによって囲まれる部分に、二酸化炭素が供給される供給空間が形成される。
【００６１】
仕切り部材１８５は、包囲材１８３と、周縁部１８４との間であって、供給空間を体表面側と包囲体側とで仕切るように設けられている。仕切り部材１８５は、気体に対して透過性を有し、伸縮性を有する材質、例えば孔が形成されたラップフィルムや、細目不織布等が用いられる。なお、仕切り部材１８５の中央部には、包囲体１８１内を使用者が視認することができるような透明な部材が設けられている。また、仕切り部材１８５と周縁部１８４との間には、吸収体１８２の端部が嵌入できる隙間部１８７が形成されている。
吸入口１８６は、包囲材１８３と仕切り部材１８５との間の空間と連通する孔を有し、孔を通して二酸化炭素を包囲材１８３と仕切り部材１８５との間の空間に供給することができる。
【００６２】
吸収体１８２について、図２０を参照して説明する。吸収体１８２は、仕切り部材１８５と周縁部１８４との間の空間に収まることができる大きさに形成されている。図２０（ａ）に示す吸収体１８２は、体表面と接触する面がみえるように図示している。図２０（ｂ）は、吸収体１８２の側面図を示している。吸収体１８２は、気体に対して透過性を有し、伸縮性を有する材質、例えば不織布等が用いられている。また、吸収体１８２は、内部を複数（６つ）の空間１８８に区分けして構成されている。この空間には、ジェル状の吸収材が詰め込まれている。従って、吸収体１８２は、図２０（ｂ）に示すように、吸収材が詰め込まれた空間毎に膨らむような凹凸形状に形成されている。各空間に詰め込まれた吸収材は各空間に移動することができるように、吸収体１８２の空間と空間との間には移送路１９０が形成されている。このように、吸収体１８２は凹凸形状であると共に、空間に詰め込まれたジェル状の吸収材が各空間を移動することができるので、凹凸がある体の表面であっても、凹凸と一致するように変形することができる。
【００６３】
また、吸収体１８２のうち体表面側の面は、空間に詰め込まれたジェル状の吸収材が吸収体１８２から、体表面側に排出され易いように、粗目状の孔又は多数の孔が形成されている。一方、吸収体１８２のうち包囲材側の面は、気体の透過性は保ちつつ、ジェル状の吸収材が包囲材側に漏洩されないように、細目状の孔又は少数の孔が形成されている。
また、吸収体１８２の外周における端部１８９は、包囲体１８１の仕切り部材１８５と周縁部１８４との間の隙間部１８７に嵌入することができるような厚みに形成されている。従って、吸収体１８２を包囲体１８１の仕切り部材１８５と周縁部１８４との間の隙間部１８７に対して着脱することで、吸収体１８２を包囲体１８１に対して取外し可能に構成されている。
【００６４】
次に、体の表面に取り付けた包囲体１８１に二酸化炭素を供給する方法について説明する。なお、包囲体１８１に供給する供給装置は、第２、第４の実施形態で説明した、ハンディタイプのボンベや大型ボンベを用いるものとする。まず、使用者は、吸収体１８２を取り付けた包囲体１８１を体の表面にあてがい、包囲体１８１内を密閉するように体に固定する。このとき、上述したように、吸収体１８２は、体の表面の凹凸に合致した形状に変形され、吸収体１８２と体表面とが密着する。次に、使用者は供給装置から吸入チューブを用いて、包囲体１８１の吸入口１８６に接続する。さらに、使用者は、供給装置のつまみ部を開口する。すると、供給装置から二酸化炭素が包囲体１８１内の仕切り部材１８５と包囲材１８３との間の空間内に放出される。供給された二酸化炭素は仕切り部材１８５と包囲材１８３との間の空間に満遍なく充填される。このとき包囲体１８１の包囲材１８３と仕切り部材１８５との間の空間は、図２１に示すように膨張する。使用者は、継続して二酸化炭素を供給することにより、包囲材１８３と仕切り部材１８５との間の空間に充填された二酸化炭素は、継続して供給される二酸化炭素によって圧縮される。加圧された二酸化炭素は、図２１に示すように、仕切り部材１８５を透過して、さらに、吸収体１８２の包囲材側の面を透過して、吸収体１８２の空間に充填された吸収材に効率よく、多量に溶解する。二酸化炭素が多量に溶解された吸収材は、吸収体１８２の体表面側から排出され、吸収体１８２に密着した体表面からより多くの二酸化炭素を体内に吸収させることができる。また、仕切り部材１８５と包囲材１８３との間の空間内で加圧された二酸化炭素によって吸収体１８２を体表面側に押し付ける。従って、この押し付ける力が吸収体１８２を体表面の凹凸と一致するように変形させることができ、体の表面から二酸化炭素を吸収させる効率を向上させることができる。
【００６５】
次に、本実施形態に使用される包囲体の他の形態について図２２を参照して説明する。図２２（ａ）に示す包囲体１９１は、あご用である。包囲体１９１の包囲材１８３は、あごの形状に合うように凹状に形成されている。また、包囲材１８３の両端部には伸縮性がある、例えばゴム製の帯状止着部１９３が設けられている。使用者は、包囲材１８３の帯状止着部１９３を頭の後ろ側に位置させることにより、包囲体１９１をあごに取り付けることができる。吸収体１９２は、包囲材１８３と周縁部１８４との間の空間に収まることができる大きさで、あごの形状に合うように凹状に形成されている。
【００６６】
図２２（ｂ）に示す包囲体１９６は、顔用である。包囲体１９６の包囲材１８３は、顔の形状に合うように形成され、目、鼻及び口に相当する部分に開口部を有している。また、包囲材１８３の両端部にはゴム製の帯状止着部１９３が設けられている。吸収体１９７は、包囲材１８３と図示しない周縁部の間の空間に収まることができる大きさで、包囲体１９６と同様に目、鼻及び口に相当する部分に開口部が有している。
【００６７】
図２２（ｃ）に示す包囲体１９８は、下腕の一部を含む手用である。包囲体１９８の包囲材１８３は、袋状であり、腕を挿入することができる挿入口が形成されている。なお、包囲材１８３の内側には、図示しない仕切り部材が一体的に袋状に設けられている。吸収体１９９は、仕切り部材によって形成される空間に収まることができる大きさで、下腕の一部を含む手に合うように袋状に形成されている。
【００６８】
なお、本実施形態ではジェル状の吸収材が含まれる吸収体を用いる場合について説明したがこの場合に限られない。吸収材として図３のシート状の吸収材を用いてもよい。大量生産に適したシート状の吸収材を用いることで、吸収材を安価に製造することができる。
【００６９】
このように、本実施形態によれば、ジェル状の吸収材を収容した吸収体を包囲体に一体的に取りつけるようにした。従って、使用者は体表面にジェル状の吸収材を付着させたり、吸収材を体表面に塗布させたりする必要がないので、使い勝手が向上する。
また、本実施形態では、吸収体を凹凸形状として、吸収体の空間に詰め込まれたジェル状の吸収材が各空間を移動することができるように形成されているので、凹凸がある体の表面であっても、凹凸と一致するように変形できる。従って、吸収体１８２は、体の表面の凹凸に合致した形状に変形されるので、吸収体１８２と体表面とが密着でき、二酸化炭素が溶融したジェル状の吸収材から、体表面への二酸化炭素を吸収させる効率を向上させることができる。
【００７０】
（第６の実施形態）
第６の実施形態は、包囲体に粘着部を設けて、包囲体を体表面に貼付する場合の実施形態である。
図２３に、第６の実施形態に係る包囲体の構成を示す。図２３（ａ）は、包囲体の外観を示す斜視図である。また、図２３（ｂ）は、包囲体の構成を示す断面図である。
図２３（ｂ）に示すように包囲体２０１は、シールラミネート２０２と、粘着シート２０４と、保湿メッシュ２０６と、防菌シート２０７と、吸入口２０８とを有している。包囲体２０１は、シールラミネート２０２と、粘着シート２０４と、保湿メッシュ２０６と、防菌シート２０７とが積層されてシート状に形成されている。
【００７１】
まず、シールラミネート２０２は、体表面の一部を包囲する包囲材であり、気体に対して不透過性を有し、伸縮することができるゴム等の材質で形成されている。また、シールラミネート２０２の面のうち粘着シート２０４と対向する面には、中央を除いた外縁側にシール粘着部２０３が設けられている。このシール粘着部２０３によりシールラミネート２０２と粘着シート２０４とが接着されている。
【００７２】
粘着シート２０４は、後述する供給空間と体表面とを仕切る仕切り部材であって、シールラミネート２０２と略等しい大きさに形成されている。粘着シート２０４は、気体が透過できるように形成され、包囲体２０１が包囲する体表面の部位によっては伸縮性を有する、例えば複数の孔を有するゴム等の材質で形成されている。ここで、シールラミネート２０２と粘着シート２０４とによって囲まれる空間に、二酸化炭素が供給される供給空間が形成される。なお、上述したシール粘着部２０３によって、シールラミネート２０２と粘着シート２０４との間は接着されていることにより、供給空間に供給された二酸化炭素は、シールラミネート２０２と粘着シート２０４との間から外部に漏洩しないようになっている。また、粘着シート２０４の面のうち防菌シート２０７と対向する面には、中央を除いて経皮粘着部２０５が設けられている。この経皮粘着部２０５は、体表面に包囲体２０１を貼り付ける粘着力を有している。なお、経皮粘着部２０５には、体表面に貼り付ける直前に剥離する防菌シート２０７が簡単に取り外せるように接着されている。
【００７３】
保湿メッシュ２０６は、粘着シート２０４より小さく形成され、粘着シート２０４の中央に配置されている。保湿メッシュ２０６は、二酸化炭素を溶融させることができる媒体、例えば水、アルコール類、油脂類等の吸収材を浸透させた綿糸で織った紗等であり、吸収部の役割を有する。なお、保湿メッシュ２０６には、二酸化炭素を溶融させることができる吸収材と共に、ＤＤＳ（Ｄｒｕｇ  Ｄｅｌｉｖｅｒｙ  Ｓｙｓｔｅｍ）効果があるナノ化された薬剤やコラーゲン等（以下、ナノ化薬剤等という）を浸透させておいてもよい。
【００７４】
防菌シート２０７は、粘着シート２０４と略等しい大きさに形成されている。防菌シート２０７は、保湿メッシュ２０６に浸透させた吸収材の気化を防止し、保湿メッシュ２０６に対する汚れの付着を防止することができる。
吸入口２０８は、シールラミネート２０２の中央に設けられている。吸入口２０８は、供給空間と連通する孔を有し、供給装置の吹き出し口を接続することができる。
【００７５】
次に、包囲体２０１の取付方法及び包囲体２０１の内部に供給装置によって二酸化炭素を供給する方法について図２４を参照して説明する。ここでは、包囲体２０１を貼付する体の部位として肘を例にして説明する。まず、使用者は、図２４（ａ）に示すように、携帯ケース２１０から包囲体２０１を取り出す。次に、使用者は、図２４（ｂ）に示すように、粘着シート２０４の経皮粘着部２０５に接着された防菌シート２０７を剥離する。次に、使用者は、図２４（ｃ）に示すように、包囲体２０１の保湿メッシュ２０６が肘の表面に対向するようにして、包囲体２０１を貼付する。このとき、包囲体２０１の経皮粘着部２０５は、経皮粘着部２０５の粘着力により肘に密着した状態になることで、保湿メッシュ２０６を体表面に密着させることができる。
【００７６】
次に、使用者は図２４（ｄ）に示すように、肘に貼付した包囲体２０１の吸入口２０８に上述した実施形態の供給装置の吹き出し口を接続する。使用者が供給装置から二酸化炭素を放出することにより、シールラミネート２０２と粘着シート２０４とで囲まれた供給空間に二酸化炭素が満遍なく充填される。使用者は、継続して二酸化炭素を供給することにより、供給空間に充填された二酸化炭素は、継続して供給される二酸化炭素によって圧縮される。加圧された二酸化炭素は、粘着シート２０４を透過して、保湿メッシュ２０６に浸透している水等の吸収材に効率よく、多量に溶解する。
二酸化炭素が多量に溶解された吸収材は、保湿メッシュ２０６に密着した体表面から、より多くの二酸化炭素を体内に吸収させることができる。また、供給空間内で加圧された二酸化炭素によって保湿メッシュ２０６を体表面側に押し付ける。従って、この押し付ける力が保湿メッシュ２０６と体表面とを密着させるので、さらに、体表面から二酸化炭素を体内に吸収させる効率を向上させることができる。なお、保湿メッシュ２０６にＤＤＳ効果があるナノ化薬剤等を浸透させている場合、ナノ化薬剤等は、二酸化炭素と共に体表面から体内に吸収されることにより、目的とする患部に効率よく到達させることができる。
【００７７】
次に、二酸化炭素の供給が終了すると、使用者は肘に貼付された包囲体２０１を取り外す。なお、包囲体２０１を貼付した肘に傷がある場合に、包囲体２０１を取り外してしまうと傷口が外部に露出してしまうことになる。したがって、包囲体２０１を貼付した肘に傷がある場合、使用者は、図２４（ｅ）に示すように、包囲体２０１の粘着シート２０４からシールラミネート２０２のみを剥離する。このようにシールラミネート２０２を剥離することで、肘にある傷口は、粘着シート２０４によって覆われたままであるため、傷口が外部に露出することなく、傷口を外部から防菌することができる。
なお、包囲体２０１は、貼り付ける体表面に応じた大きさに形成することで、様々な体の部位に対応させることができる。また、シールラミネート２０２及び粘着シート２０４を伸縮性がある材質にすることで、肘、肩、膝等の関節や、あご、額等の複雑な体の部位であっても、体表面に沿って包囲体２０１を貼付することができる。
【００７８】
このように、本実施形態によれば、包囲体に経皮粘着部を設けた。従って、使用者は体表面に包囲体を簡単に貼付することができるので、使い勝手が向上する。
また、本実施形態では、包囲体で包囲した部位に傷口があったとして、包囲体の外側に積層されたシールラミネートのみを剥離することで、粘着シートが傷口を覆うので、傷口を外部から防菌することができる。
【００７９】
（第７の実施形態）
第７の実施形態は、体表面の少なくとも一部を包囲する包囲体内に気泡状の二酸化炭素をムースとして供給する場合の実施形態である。
図２５に、第７の実施形態に係る二酸化炭素付与装置の構成を示す。図２５に示すように二酸化炭素付与装置は、供給装置２８１と、包囲体２９５とを有している。
【００８０】
供給装置２８１は、いわゆるスプレーガンであって、容器体２８２と、噴射口２８３と、取手部２８４と、噴射スイッチ２８５と、差込口２８６とを有している。容器体２８２には、体表面に付着させる吸収材として、発泡性ジェルが収容されている。ここで、吸収材としての発泡性ジェルは、泡の生成に適した成分を含み二酸化炭素を溶解させることができる液体（媒体）である。
【００８１】
差込口２８６には、図２５に示すように、カートリッジ２９１又はボンベ２９２のノズルが接続できるように構成されている。ここで、カートリッジ２９１は、二酸化炭素が圧縮されて収容されているものである。また、ボンベ２９２は、二酸化炭素が高圧縮されて液化状態で収容されているものである。ボンベ２９２には、減圧器、目盛部、コック部等が設けられていて、所望の圧力に減圧して気体状の二酸化炭素を放出することができる。
使用者はカートリッジ２９１又はボンベ２９２のノズルを差込口２８６に装着させた後、取手部２８４に設けられた噴射スイッチ２８５を押下することで、供給装置２８１が発泡性ジェルを発泡させ、気泡状の二酸化炭素を含んだムースを生成し、ムースを噴射口２８３から噴射する。噴射されたムースのうち、気泡が二酸化炭素であり、それ以外が吸収材である。
【００８２】
包囲体２９５は、包囲材２９６と、透過部材２９７と、充填部２９８と、粘着部２９９とを有している。包囲材２９５は、腕を包囲できるような形状で、例えば柔軟性を有するポリ塩化ビニルやナイロン、合成樹脂、布等で形成されている。包囲材２９６は、ムースを外部に透過しない材質であることが好ましい。
【００８３】
包囲材２９６の内周面には、メッシュ状の透過部材２９７が包囲材２９６の略全面に亘って取り付けられている。透過部材２９７と包囲材２９６との間には、ムースを充填できるポケット状の充填部２９８がムース収容部として複数、形成されている。充填部２９８に充填されたムースは、メッシュ状の透過部材２９７を透過することができる。また、包囲材２９６の内周面の外縁には、粘着部２９９が設けられている。粘着部２９９は、その粘着力により腕に密着した状態になることで、包囲材２９６の内周面と体表面とを密着させることができる。
【００８４】
次に、包囲体２９５の取付方法及び包袋体２９５の内部に供給装置２８１によって二酸化炭素を供給する方法について図２６を参照して説明する。まず、使用者は、図２６（ａ）に示すように、供給装置２８１の噴射口２８３をポケット状の充填部２９８に向けた状態で、噴射スイッチ２８５を押下し、充填部２９８にムースを充填させる。使用者は、全ての充填部２９８にムースを満遍なく充填させた後、図２６（ｂ）に示すように包囲体２９５の内周面を体表面に対向させるようにして巻き付ける。このとき、包囲体２９５の粘着部２９９の粘着力により、包囲材２９６と体表面とは密着している。次に、使用者は、図２６（ｃ）に示すように、包囲体２９５と体表面との間に供給装置２８１の噴射口２８３を差し込んで充填部２９８にムースをさらに充填して、充填されているムースを加圧する。
【００８５】
包囲体２９５内では、充填部２９８に充填されたムースは透過部材２９７を透過して、体表面に付着する。一方、ムース内では、気泡状の二酸化炭素が徐々に吸収材に溶融する。したがって、二酸化炭素が溶融した吸収材は、体表面から体内に吸収される。なお、図２６（ｃ）に示すように、ムースを包囲体２９５内にさらに充填させることで、包囲体２９５内に充填されているムースを加圧させることができ、気泡状の二酸化炭素を吸収材に効率よく、多量に溶解させることができる。二酸化炭素が多量に溶解され吸収材は、体表面からより多くの二酸化炭素を体内に吸収させることができる。また、加圧されることで、吸収材が体表面に押し付けられる。従って、体表面から二酸化炭素を体内に吸収させる効率を向上させることができる。また、生成するムースに上述したＤＤＳ効果があるナノ化薬剤等を混合させておいてもよい。
【００８６】
時間が経過することにより、体表面近くに位置するムースは、皮膚温度によって温められることで徐々に液化する。したがって、経皮表面近くで液化した吸収材は、重力にしたがって下方に垂れて、包囲体２９５内のムースは少なくなるが、それに伴い外側に位置していたムースが体表面側に移動する。外側に位置していたムースにも、満遍なく気泡状の二酸化炭素が含まれていることから、ムースが少なくなったとしても、新鮮な二酸化炭素を吸収材に溶融させることができる。なお、包囲体にムースを充填させず、ムースを直接、皮膚に塗布することにより同様の効果を得ることができる。
このように、本実施形態によれば、気泡状の二酸化炭素をムースに含ませて体表面に付着させることにより、吸収材を介して二酸化炭素を体内に吸収させることができる。
【００８７】
（第８の実施形態）
第８の実施形態は、体表面の少なくとも一部を包囲する包囲体内に二酸化炭素を供給する供給装置に二酸化炭素の濃度を調整する濃度調整装置を付加した場合の実施形態である。本実施形態の濃度調整装置は、無電源であるため、二酸化炭素付与装置を持ち運んだときに電源を供給することができないような場所であっても動作する。なお、二酸化炭素の濃度を調整するのは、体の部位によって、又は個人差によって、二酸化炭素を吸収する速度や量が異なってくるためであり、体の部位又は個人に応じた二酸化炭素の濃度にすることで、個人に応じたＢｏｈｒ効果を引き出すことができる。
【００８８】
図２７に、第８の実施形態に係る濃度調整装置の構成を示す。図２７は、濃度調整装置の構成の一例を示す図である。
図２７に示すように、濃度調整装置２２０には、供給装置２２１から二酸化炭素が供給されると共に、高圧ボンベ２３１から空気が供給される。濃度調整装置２２０は、二酸化炭素が供給される経路２２６及び空気が供給される経路２３６と、圧力調整部２２２、２３２と、チェックバルブ２２３、２３３と、フローメータ２２４、２３４と、流量調整部２２５、２３５と、混合器２２８と、吐出バルブ２２９と有している。なお、流量調整部２２５、２３５と、混合器２２８とにより切換器２２７を構成している。
【００８９】
圧力調整部２２２、２３２では、供給装置２２１及び高圧ボンベ２３１から流入された二酸化炭素及び空気の圧力を調整する。ここでは、使用者は圧力調整部２２２、２３２のそれぞれにおいて、二酸化炭素及び空気の圧力が等しくなるように調整する。次に、チェックバルブ２２３、２３３では、流入された二酸化炭素及び空気の逆流を防止する。次に、フローメータ２２４、２３４では、流入された二酸化炭素及び空気の流量を使用者が確認することができる。次に、流量調整部２２５、２３５は、二酸化炭素及び空気の流量を変更して二酸化炭素の濃度を調整する。次に、混合器２２８では、流量調整部２２５、２３５において流量が変更された二酸化炭素及び空気を混合して、濃度が調整された二酸化炭素を生成する。最後に、吐出バルブ２２９において、バルブが開放されることで濃度調整された二酸化炭素を吐出する。濃度調整された二酸化炭素は、包囲体内に供給される。
【００９０】
なお、使用者は、流量調整部２２５、２３５それぞれにおいて、二酸化炭素及び空気の流量を変更して二酸化炭素の濃度を調整する場合に限られず、流量調整部２２５、２３５と、混合器２２８とで構成される切換器２２７により、二酸化炭素の濃度を調整してもよい。具体的には、使用者が、切換器２２７に連結されている操作摘みを回転操作等行うことにより、例えば段階的に二酸化炭素の濃度を２５、５０、７５パーセント等に調整したり、無段階的に二酸化炭素の濃度を調整したりすることできる。ここで、無段階に調整するように構成する場合、二酸化炭素の濃度を略１０００ｐｐｍ〜略９５パーセントに調整できるように構成する。なお、圧力調整部２２２、２３２とチェックバルブ２２３、２３３との順番、チェックバルブ２２３、２３３とフローメータ２２４、２３４との順番等を入れ替えて濃度調整装置２２０を構成してもよい。
【００９１】
次に、本実施形態の濃度調整装置の外観について図２８（ａ）及び図２８（ｂ）を参照して説明する。図２８（ａ）は、卓上型の濃度調整装置の一例を示す外観図である。図２８（ａ）に示すように、濃度調整装置２２０は、卓上型サイズに形成されている。また、供給装置２２１及び高圧ボンベ２３１と濃度調整装置２２０とはチューブを介して接続されている。また、濃度調整装置２２０から吐出された濃度調整された二酸化炭素が包囲体２３６内に供給されるように、濃度調整装置２２０と包囲体２３６とがチューブを介して接続されている。
図２８（ｂ）は、搬送型の濃度調整装置の一例を示す外観図である。図２８（ｂ）に示すように、濃度調整装置２２０は、キャスターが設けられたケース２３７内に収容されている。また、ケース２３７には、複数の供給装置２２１及び高圧ボンベ２３１も収容されている。このように、ケース２３７内に収容することで、濃度調整装置２２０を簡単に持ち運ぶことができる。
【００９２】
このように、本実施形態によれば、供給装置が供給する二酸化炭素の濃度を調整する濃度調整装置を付加したので、体の部位又は個人に応じた二酸化炭素の濃度にすることで、個人に応じたＢｏｈｒ効果を引き出すことができる。
【００９３】
（第９の実施形態）
第９の実施形態は、体表面の少なくとも一部を包囲する包囲体内に二酸化炭素を供給する供給装置に二酸化炭素の濃度を自動的に調整する濃度調整装置を付加した場合の実施形態である。第９の実施形態の濃度調整装置は、制御回路が濃度調整を自動的に行うものである。
図２９に、第９の実施形態に係る濃度調整装置の構成を示す。図２９は、濃度調整装置の構成の一例を示す図である。なお、図２９に示す濃度調整装置２４０の構成要素のうち第８の実施形態に係る濃度調整装置２２０と同一の構成要素については同一名称を付して詳細な説明は省略する。
【００９４】
図２９に示すように、濃度調整装置２４０には、供給装置２２１から二酸化炭素が供給されると共に、高圧ボンベ２３１から空気が供給される。濃度調整装置２４０は、二酸化炭素が供給される経路２４６及び空気が供給される経路２５６と、圧力調整部２４１、２５１と、チェックバルブ２４２、２５２と、残圧センサー２４３、２５３と、流量調整部２４４、２５４と、電磁弁２４５、２５５と、混合器２４７と、吐出電磁弁２４８とを有している。さらに、濃度調整装置２４０には、残圧警報装置２４９と、制御回路２６０と、タイマー２６１と、記憶装置２６２と、電源回路２６３と、通信装置２６４と、操作パネル２６５とを有している。
【００９５】
圧力調整部２４１、２５１では、使用者が供給装置２２１及び高圧ボンベ２３１から流入された二酸化炭素及び空気の圧力が等しくなるように調整しておく。次に、チェックバルブ２４２、２５２では、流入された二酸化炭素及び空気の逆流を防止する。次に、残圧センサー２４３、２５３では、流入された二酸化炭素及び空気の圧力を計測する。残圧センサー２４３、２５３が計測した圧力値は、残圧警報装置２４９に送信される。残圧警報装置２４９は、送信されてきた圧力値が所定の圧力値以下になった場合、供給装置２２１又は高圧ボンベ２３１に二酸化炭素又空気の残量がないものとして警報を行う。次に、流量調整部２４４、２５４は、二酸化炭素及び空気の流量を変更して二酸化炭素の濃度を調整する。また、電磁弁２４５、２５５も同様に、二酸化炭素及び空気の流量を変更して二酸化炭素の濃度を調整する。なお、本実施形態の濃度調整は、専ら電磁弁２４５、２５５にて行い、流量調整部２４４、２５４では、補足的に調整する。本実施形態の濃度調整装置２４０は、二酸化炭素の濃度を略１０００ｐｐｍ〜略９５パーセントに調整できるように構成されている。
【００９６】
次に、混合器２４７では、電磁弁２４５、２５５において流量が変更された二酸化炭素及び空気を混合して、濃度が調整された二酸化炭素を生成する。最後に、吐出電磁弁２４８において、弁を開放することで濃度調整された二酸化炭素が吐出する。
ここで、電磁弁２４５、２５５及び吐出電磁弁２４８は、制御回路２６０に接続されている。すなわち、制御回路２６０が電磁弁２４５、２５５を制御することで、二酸化炭素及び空気の流量を変更して、二酸化炭素の濃度を調整する。また、制御回路２６０が吐出電磁弁２４８の開閉を制御することで、濃度が調整された二酸化炭素を吐出したり、吐出の停止をしたりすることができる。
【００９７】
また、制御回路２６０には、タイマー２６１及び操作パネル２６５が接続されている。したがって、使用者が操作パネル２６５を用いて、二酸化炭素を継続して吐出させる時間や、二酸化炭素の濃度を設定することで、制御回路２６０は、設定された時間及び濃度に基づいて、電磁弁２４５、２５５を制御して、設定された濃度になるように制御すると共に、タイマー２６１を用いて、設定した時間を経過したら吐出電磁弁２４８を閉鎖して二酸化炭素の吐出を停止することができる。
【００９８】
さらに、制御回路２６０には記憶装置２６２が接続されている。この記憶装置２６２には、制御回路２６０に実行させるプログラムを複数、記憶させることができる。ここで、プログラムとは、例えば、最初の数分間を二酸化炭素の濃度を薄くして吐出させ、その後、数分間を徐々に二酸化炭素の濃度を濃くして吐出させ、一定時間経過した後二酸化炭素の吐出を停止する等のメニューを制御回路２６０に実行させるためのものである。上述したように、体の部位によって、又は個人差によって、二酸化炭素を吸収する速度や量が異なってくるため、二酸化炭素を吸収させたい体の部位及び使用者に応じたプログラムを記憶装置２６２に記憶しておき、使用者が操作パネル２６５を操作して、記憶装置２６２に記憶された複数のプログラムから該当するプログラムを選択して、制御回路２６０が実行することにより、体の部位又は使用者に応じたＢｏｈｒ効果を引き出すことができる。
【００９９】
また、濃度調整装置２４０には、電源回路２６３が設けられている。したがって、電源回路２６３に接続されているプラグをコンセント等に差し込むことで、濃度調整装置２４０を駆動する電力を供給することができる。さらに、濃度調整装置２４０には、通信装置２６４が設けられている。通信装置２６４には、例えば、パソコン（ＰＣ）に接続できるように構成されている。したがって、濃度調整装置２４０から二酸化炭素の濃度を調整したデータをパソコンに送信することで、パソコンにおいて、時間軸に応じた濃度の調整データを記憶することができる。このように二酸化炭素の濃度の調整データを記憶しておくことで、体の部位又は使用者に応じたプログラムを作成するときに、記憶した調整データを参照することできる。
なお、上述した体の部位又は使用者に応じたプログラムは記憶装置２６２に記憶しておく場合に限らず、通信装置２６４に接続されたパソコンから濃度調整装置２４０に送信するように構成してもよい。また、通信装置２６４に接続されたパソコンから濃度調整装置２４０を制御できるように構成してもよい。
【０１００】
また、図２９に示す図には、濃度調整装置２４０から濃度調整されて吐出された二酸化炭素を一時的に貯めておくサブタンク２７０を破線で示している。サブタンク２７０は、包囲体が大きく、二酸化炭素を供給する供給空間の容量が大きい場合に用いられる。すなわち、容量が大きい供給空間に二酸化炭素を供給する場合、供給空間内に二酸化炭素を満遍なく充填させるには長時間要する。そこで、濃度調整装置２４０から吐出された二酸化炭素を予めサブタンク２７０に貯めておくことで、サブタンク２７０から一度に包囲体の供給空間に供給することができるため、供給空間内に二酸化炭素を供給する時間を短縮することができる。また、サブタンク２７０から供給空間内に供給された二酸化酸素をサブタンク２７０に戻すことができるように構成しておくことで、再度、サブタンク２７０から供給空間に二酸化炭素を供給することができるため、二酸化炭素の再利用が可能となる。このとき、サブタンク２７０内に二酸化炭素の濃度計測装置を設け、所定の濃度を満たしているかを計測し、満たしていない場合は、濃度調整装置２４０からサブタンク２７０に充填させればよい。このサブタンク２７０は、本実施形態に限られず、第８の実施形態の濃度調整装置２２０から吐出した後や、第４の実施形態の大型ボンベの吹き出し口に設けてもよい。
【０１０１】
なお、上述した濃度調整装置２４０において、圧力調整部２４１、２５１に電磁弁を用いて、制御回路２６０が圧力調整の制御も行うことができるように構成してもよい。例えば、二酸化炭素及び空気の圧力調整を変化させるようなプログラムを作成することで、体表面に対して加わる二酸化炭素の圧力を変更できるため、体表面に対するマッサージ効果を期待することができる。さらに、制御回路２６０が圧力調整を行うことにより二酸化炭素及び空気の温度の制御も行うように構成してもよい。例えば、二酸化炭素及び空気の圧力調整を変化させるようなプログラムを作成することで、濃度調整装置２４０から吐出される濃度調整された二酸化炭素の温度を変更できるため、体表面をクールダウン等させるような効果を期待することができる。
【０１０２】
次に、本実施形態の濃度調整装置の外観について図３０を参照して説明する。図３０は、濃度調整装置の一例を示す外観図である。図３０に示すように、供給装置２２１及び高圧ボンベ２３１と濃度調整装置２４０とはチューブを介して接続されている。また、濃度調整装置２４０から吐出された濃度調整された二酸化炭素が図示しない包囲体内に供給されるように、濃度調整装置２２０と包囲体とがチューブを介して接続される。
【０１０３】
このように、本実施形態によれば、供給装置が供給する二酸化炭素の濃度を自動的に調整する濃度調整装置を付加したので、体の部位又は使用者に応じた二酸化炭素の濃度にすることで、個人に応じたＢｏｈｒ効果を引き出すことができる。また、体の部位又は使用者に応じたプログラムを作成し、濃度調整装置をプログラムに基づいて実行させることで、より体の部位又は使用者に応じたＢｏｈｒ効果を引き出すことができる。
【０１０４】
なお、第８の実施形態及び第９の実施形態において用いた供給装置２２１は、第１の実施形態のスプレー缶、第２の実施形態のハンディボンベ及び第４の実施形態の大型ボンベ等、何れを用いてもよい。また、空気を供給する装置は、高圧ボンベ２３１に限られず、コンプレッサー（圧縮機）であってもよく、ハンディボンベ等であってもよい。また、第８の実施形態及び第９の実施形態では、二酸化炭素と混合する気体を空気にする場合について説明したが、この場合に限られず、例えば、窒素ガス、ヘリウムガス、ラドンガス等であってもよい。また、第８の実施形態及び第９の実施形態に係る濃度調整装置は、上述した第１の実施形態〜第７の実施形態に係る二酸化炭素付与装置に付加することができる。
【０１０５】
このように、本発明の二酸化炭素付与装置は、包囲体内に供給された二酸化炭素を体表面から吸収させるように加圧するように構成した。従って、包囲体内に供給された二酸化炭素は多量に効率的に吸収材に溶融するので、多量に二酸化炭素が溶融した吸収材を介して、体表面へ二酸化炭素を吸収させる効率が向上する。
【０１０６】
なお、上述した実施形態の加圧手段として、供給装置や加圧装置を用いて、包囲体内に供給された二酸化炭素を加圧する場合について説明したが、この場合に限られない。例えば、包囲体内で重曹とクエン酸とを化学反応させて二酸化炭素を発生させるようにしてもよい。この場合、包囲体内は化学反応で発生された二酸化炭素で充填される。さらに継続して化学反応させることにより、包囲体内に充填した二酸化炭素は加圧される。
また、例えば、包囲体内にドライアイスを含ませるようにしてもよい。ドライアイスは、常温常圧下では昇華して直接、気体状の二酸化炭素になる。従って、包囲体内は昇華した二酸化炭素で充填される。さらに継続して、化学反応させることにより、包囲体内に充填した二酸化炭素は加圧される。なお、ドライアイスは体表面と接しないように包囲体内で隔離するように配置する。このように、加圧手段としては、化学反応を用いて包囲体内の二酸化炭素を加圧させるようにしてもよい。
【０１０７】
また、上述した二酸化炭素付与装置に、さらに超音波発生装置を設けるように構成してもよい。二酸化炭素を吸収している体表面に対して、超音波発生装置により超音波をあてることで、二酸化炭素は吸収材から体内にさらに効率的に吸収させることができる。
また、上述した二酸化炭素付与装置は、人間以外の動物に対して二酸化炭素を供給するようにしてもよい。すなわち、体表面とは、人間以外の動物の体の表面であってもよい。
また、加圧手段によって加圧する時間は、体の部位によって異なるものの、長時間（例えば、１０分〜３０分）になるほど、体表面から吸収される二酸化炭素の量は増大する。
【図面の簡単な説明】
【０１０８】
【図１】第１の実施形態に係る二酸化炭素付与装置の構成を示す図である。
【図２】包囲体の取付方法について説明するための図である。
【図３】腕に取り付けた包囲体の内部に二酸化炭素を供給する方法について説明するための図である。
【図４】腕に取り付けた包囲体の断面を示す図である。
【図５】第１の実施形態に使用される他の形態の包囲体を示す図である。
【図６】第１の実施形態に使用される他の形態の包囲体を示す図である。
【図７】第２の実施形態に係る二酸化炭素付与装置の構成を示す図である。
【図８】シート状の吸収材の構成を示す図である。
【図９】第２の実施形態に使用される他の形態の包囲体を示す図である。
【図１０】第３の実施形態に係る二酸化炭素付与装置の構成を示す図である。
【図１１】シート状の仕切り部材の構成を示す図である。
【図１２】第４の実施形態に係る二酸化炭素付与装置の構成を示す図である。
【図１３】上半身用の包囲体によって体を包囲する場合に適した吸収材について説明するための図である。
【図１４】第４の実施形態に使用される他の形態の包囲体を示す図である。
【図１５】第４の実施形態に使用される他の形態の包囲体を示す図である。
【図１６】第４の実施形態に使用される他の形態の包囲体を示す図である。
【図１７】第４の実施形態に使用される他の形態の包囲体を示す図である。
【図１８】第５の実施形態に使用される、吸収体が一体的に取り付けられた包囲体の構成を示す図である。
【図１９】包囲体の構成を示す図である。
【図２０】吸収体の構成を示す図である。
【図２１】包囲体によって体表面から二酸化炭素を供給する方法について説明するための図である。
【図２２】第５の実施形態に使用される他の形態の包囲体を示す図である。
【図２３】第６の実施形態に係る包囲体の構成を示す図である。
【図２４】肘に貼付した包囲体の内部に二酸化炭素を供給する方法について説明するための図である。
【図２５】第７の実施形態に係る二酸化炭素付与装置の構成を示す図である。
【図２６】腕に取り付けた包囲体の内部に二酸化炭素を供給する方法について説明するための図である。
【図２７】第８の実施形態に係る濃度調整装置の構成を示す図である。
【図２８】第８の実施形態に係る濃度調整装置の外観図である。
【図２９】第９の実施形態に係る濃度調整装置の構成を示す図である。
【図３０】第９の実施形態に係る濃度調整装置の外観図である。
【符号の説明】
【０１０９】
１０      二酸化炭素付与装置
１１      供給装置
２１      包囲体
３６      包囲体
４６      包囲体
４７      包囲体
５０      包囲体
６０      二酸化炭素付与装置
６１      供給装置
７１      包囲体
７５      吸収材
８１      包囲体
８３      包囲体
８５      包囲体
９１      包囲体
１０１    包囲体
１０２    加圧装置
１１１    包囲体
１２０    二酸化炭素付与装置
１２１    供給装置
１３１    吸収材
１４１    包囲体
１５１    包囲体
１６１    包囲体
１８１    包囲体
１８２    吸収体
１９１    包囲体
１９６    包囲体
１９８    包囲体
２２０    濃度調整装置
２４０    濃度調整装置
【図１】
0005222620.tif 000002
【図２】
0005222620.tif 000003
【図３】
0005222620.tif 000004
【図４】
0005222620.tif 000005
【図５】
0005222620.tif 000006
【図６】
0005222620.tif 000007
【図７】
0005222620.tif 000008
【図８】
0005222620.tif 000009
【図９】
0005222620.tif 000010
【図１０】
0005222620.tif 000011
【図１１】
0005222620.tif 000012
【図１２】
0005222620.tif 000013
【図１３】
0005222620.tif 000014
【図１４】
0005222620.tif 000015
【図１５】
0005222620.tif 000016
【図１６】
0005222620.tif 000017
【図１７】
0005222620.tif 000018
【図１８】
0005222620.tif 000019
【図１９】
0005222620.tif 000020
【図２０】
0005222620.tif 000021
【図２１】
0005222620.tif 000022
【図２２】
0005222620.tif 000023
【図２３】
0005222620.tif 000024
【図２４】
0005222620.tif 000025
【図２５】
0005222620.tif 000026
【図２６】
0005222620.tif 000027
【図２７】
0005222620.tif 000028
【図２８】
0005222620.tif 000029
【図２９】
0005222620.tif 000030
【図３０】
0005222620.tif 000031